(57)【特許請求の範囲】
【請求項１】
建物の屋内外間の壁を貫通する通気口に取り付けられ、屋内外間の通気を取るための開口された通気部がその屋内外方向に延びる軸の周囲に配設された第１シャッタ部と、
前記第１シャッタ部の屋内側または屋外側に隣接し、前記第１シャッタ部に対して前記軸回りに回動可動となるように設けられ、前記通気部を開閉するための第２シャッタ部と、
前記第１シャッタ部及び前記第２シャッタ部を覆うように設けられ、下部に第１開口部を有するカバー部とを備え、
前記第２シャッタ部は、前記第１シャッタ部に対して前記軸回りに回動可能となるように取り付けられ、前記通気部を開閉するための遮蔽部が前記軸の周囲に配設された可動部と、前記可動部とともに前記軸回りに回動可能となるように前記可動部から前記第１開口部を通じて下方へ延設され、前記可動部を回動操作する際に把持される操作部と、前記軸を中心とした下向きの円弧状を呈し、前記操作部の回動方向を向く両側面からその操作部の両側に延び、下側を向く外面の一部が前記第１開口部内に入り込んだ状態で前記第１開口部を上から遮蔽しながら前記操作部とともに前記軸回りに回動する第１遮蔽壁とを有する、シャッタ装置。
【請求項２】
前記第１シャッタ部は、前記第１遮蔽壁と前記通気部との間の位置に設けられ、前記操作部に干渉しない形状を有する第２遮蔽壁を含む、請求項１に記載のシャッタ装置。
【請求項３】
前記第２遮蔽壁は、前記操作部の移動方向に沿う形状の移動領域を有する第２開口部を含み、
前記操作部は、前記可動部から前記第２開口部の移動領域を通じて下方に延設される、請求項２に記載のシャッタ装置。
【請求項４】
前記第２シャッタ部は、前記第１シャッタ部に対して着脱可能に構成されており、
前記第２開口部は、前記移動領域に繋がるとともに前記第２シャッタ部を前記第１シャッタ部に着脱する際に前記操作部を通過させる着脱領域を有し、
前記第２シャッタ部は、前記操作部とともに移動し、前記遮蔽部により前記第１シャッタ部の通気部が開状態となっている際に前記第２開口部の着脱領域を遮蔽する第３遮蔽壁を有する、請求項３に記載のシャッタ装置。
【請求項５】
前記操作部は、前記第２遮蔽壁の屋内側または屋外側を通って下方に延設される、請求項４に記載のシャッタ装置。
【請求項６】
前記第１シャッタ部は、前記通気部が設けられるとともに前記可動部の屋内側または屋外側に隣接する通気部形成部と、前記通気部形成部から前記可動部の縁部の外側を通って前記通気部形成部と反対側に回り込むように延設されるとともに前記通気部形成部との間で前記可動部を前記通気部の開閉時の移動方向に移動可能に挟持する保持部とを有する、請求項１〜５のいずれか１項に記載のシャッタ装置。
【請求項７】
前記保持部は、前記可動部の前記通気部形成部と反対側の位置において前記可動部の縁部の外側から前記可動部の内部側へ突設され、前記可動部の前記通気部形成部と反対側の面に当接して前記可動部が前記通気部形成部から離反するのを抑制するものであり、
前記可動部は、その縁部近傍に形成されるとともに前記可動部が前記通気部形成部に対して接近または離反する際に前記保持部が通過可能な形状の凹部を有し、
前記可動部が前記通気部の開閉時の移動範囲外の位置にあるときに前記凹部の位置と前記保持部の位置とが合致する、請求項６に記載のシャッタ装置。
【請求項８】
前記カバー部の第１開口部は、前記操作部の移動範囲を規制することにより前記可動部
の移動範囲を規制しており、
前記第１開口部により規制された前記可動部の移動範囲外の位置に前記可動部があるときに前記凹部の位置と前記保持部の位置とが合致する、請求項７に記載のシャッタ装置。
【請求項９】
前記遮蔽部が前記通気部を実質的に遮蔽しない開位置において前記可動部を固定する第１位置決め部と、
前記遮蔽部が前記通気部を実質的に完全に遮蔽する閉位置において前記可動部を固定する第２位置決め部とをさらに備えた、請求項１〜８のいずれか１項に記載のシャッタ装置。
【請求項１０】
前記可動部を前記開位置と前記閉位置との間の所定の位置で固定する第３位置決め部をさらに備えた、請求項９に記載のシャッタ装置。
【請求項１１】
前記第３位置決め部は、前記可動部を前記開位置と前記閉位置との間の複数の異なる位置で固定可能に構成されている、請求項１０に記載のシャッタ装置。
【請求項１２】
請求項１〜１１のいずれか１項に記載のシャッタ装置を備え、
建物の屋内外間の通気を調節する、通気装置。
【発明の詳細な説明】
【技術分野】
【０００１】
本発明は、通気口に設置され、建物の屋内外間の通気を調節するためのシャッタ装置及びそのシャッタ装置を用いた通気装置に関するものである。
【背景技術】
【０００２】
従来、建物の内外間を仕切る壁に設置され、屋内外間の通気を調節するためのシャッタ装置を備えた通気装置が知られている（例えば、特許文献１参照）。
【０００３】
上記特許文献１に開示された通気装置は、手動で開閉動作可能なシャッタ装置を備えている。このシャッタ装置は、通気方向に対して垂直に設けられるとともに上下に延びる格子部が形成された壁部を有する筒体と、筒体の壁部の屋内側に隣接して設けられるとともに筒体の格子部と同方向に延びる格子部が形成されたスライド開閉シャッタとを有している。そして、スライド開閉シャッタを上記筒体の壁部に対して横方向にスライド操作することによって、筒体の格子間の開口部に対してスライド開閉シャッタの格子間の開口部が重なる開位置と、筒体の格子間の開口部に対してスライド開閉シャッタの格子部が重なる閉位置とにスライド開閉シャッタを移動できるように構成されている。スライド開閉シャッタを開位置に移動させれば、筒体の開口部及びスライド開閉シャッタの開口部を通じて屋内外間の通気を取ることができる一方、スライド開閉シャッタを閉位置に移動させれば、筒体の開口部がスライド開閉シャッタの格子部によって遮蔽され、通気が遮断されるようになっている。
【０００４】
スライド開閉シャッタの下部には、スライド開閉シャッタを横方向にスライド操作するためのシャッタ開閉用ツマミが設けられている。また、上記筒体及びスライド開閉シャッタの屋内側を覆うようにパネルが設けられており、このパネルの下部には、上記シャッタ開閉用ツマミを下方へ突出させるための開口部が形成されている。この開口部は、シャッタ開閉用ツマミの移動範囲にわたって形成されており、スライド開閉シャッタの操作時には、シャッタ開閉用ツマミを把持してスライド開閉シャッタを横方向へ移動させることが可能となっている。上記のように、シャッタ開閉用ツマミが通気装置の下部に設けられていることによって、通気装置が高い位置に設置されている場合でもシャッタ装置を下方から操作しやすくなっている。
【特許文献１】特開２００５−１６４１３０号公報
【発明の開示】
【発明が解決しようとする課題】
【０００５】
上記特許文献１に開示された従来の通気装置のシャッタ装置では、シャッタ開閉用ツマミを横方向に移動させるために、その移動範囲の全域にわたって上記パネルの開口部が形成されているので、このツマミがどの位置にあっても、このツマミが存在していない領域では上記開口部を通じて内外の通気が可能となっている。したがって、例えば冬季には、屋外から取り込まれる冷気の比重が重いことに起因して冷気が下方へ流下しやすいので、上記のようにパネルの開口部が下部に設けられているとその開口部を通じて冷気が屋内に流入しやすくなる。すなわち、上記特許文献１に開示された従来の通気装置では、シャッタ開閉用ツマミが下部に設けられていることにより通気装置が高い位置に設置されていてもシャッタ装置を下から操作しやすいという利点がある一方、上記のようにシャッタ開閉用ツマミを下方へ突出させるための開口部がパネルの下部に設けられていることに起因して、屋外から屋内に冷気が流入しやすくなるという問題点がある。
【０００６】
本発明は、上記のような課題を解決するためになされたものであり、その目的は、シャッタ装置が高い位置に設置されている場合でもそのシャッタ装置の操作性を良好に保ちながら、屋外から屋内への冷気の流入を低減することが可能なシャッタ装置及びそのシャッタ装置を用いた通気装置を提供することである。
【課題を解決するための手段】
【０００７】
上記目的を達成するために、この発明のシャッタ装置は、建物の屋内外間の壁を貫通する通気口に取り付けられ、屋内外間の通気を取るための開口された通気部がその屋内外方向に延びる軸の周囲に配設された第１シャッタ部と、第１シャッタ部の屋内側または屋外側に隣接し、第１シャッタ部に対して前記軸回りに回動可動となるように設けられ、通気部を開閉するための第２シャッタ部と、第１シャッタ部及び第２シャッタ部を覆うように設けられ、下部に第１開口部を有するカバー部とを備えている。そして、第２シャッタ部は、第１シャッタ部に対して前記軸回りに回動可能となるように取り付けられ、通気部を開閉するための遮蔽部が前記軸の周囲に配設された可動部と、可動部とともに軸回りに回動可能となるように可動部から第１開口部を通じて下方へ延設され、可動部を回動操作する際に把持される操作部と、前記軸を中心とした下向きの円弧状を呈し、操作部の回動方向を向く両側面からその操作部の両側に延び、下側を向く外面の一部が第１開口部内に入り込んだ状態で第１開口部を上から遮蔽しながら操作部とともに前記軸回りに回動する第１遮蔽壁とを有する。
【０００８】
このシャッタ装置では、上記のように、第２シャッタ部の操作部がカバー部の第１開口部を通じて下方へ延設されているので、高い位置に設置されている場合でも下方から操作部を把持して操作しやすい。これにより、シャッタ装置が高い位置に設置されている場合でもそのシャッタ装置の操作性を良好に保つことができる。さらに、このシャッタ装置では、第２シャッタ部が操作部とともに回動しながら第１開口部を遮蔽する第１遮蔽壁を有しているので、この第１遮蔽壁により冷気がカバー部の下部に設けられた第１開口部を通じて下方へ流下するのを抑制することができる。このため、屋外から屋内への冷気の流入を低減することができる。
【００１０】
上記シャッタ装置において、第１シャッタ部は、第１遮蔽壁と通気部との間の位置に設けられ、操作部に干渉しない形状を有する第２遮蔽壁を含むのが好ましい。このように構成すれば、操作部と干渉することなく第２遮蔽壁を設けることができるとともに、この第２遮蔽壁により第１シャッタ部の通気部を通じて流入する冷気の下方への流下をより抑制することができる。
【００１１】
この場合において、第２遮蔽壁は、操作部の移動方向に沿う形状の移動領域を有する第２開口部を含み、操作部は、可動部から第２開口部の移動領域を通じて下方に延設されるのが好ましい。このように構成すれば、操作部と第２遮蔽壁とが干渉しないように操作部を下方へ延設できるとともに操作部を移動操作可能な構造を構成することができる。
【００１２】
さらにこの場合において、第２シャッタ部は、第１シャッタ部に対して着脱可能に構成されており、第２開口部は、移動領域に繋がるとともに第２シャッタ部を第１シャッタ部に着脱する際に操作部を通過させる着脱領域を有し、第２シャッタ部は、操作部とともに移動し、遮蔽部により第１シャッタ部の通気部が開状態となっている際に第２開口部の着脱領域を遮蔽する第３遮蔽壁を有するのが好ましい。このように構成すれば、第２開口部の着脱領域により第２シャッタ部の第１シャッタ部への着脱時に操作部を第２開口部の移動領域に挿脱可能な構造を構成することができる。さらに、第１シャッタ部の通気部が開状態となっている際に第２開口部の着脱領域を第３遮蔽壁により遮蔽することができるので、第２遮蔽壁に着脱領域を設けたとしても、第１シャッタ部の開状態の通気部からその着脱領域を通じて冷気が下方へ流下するのを抑制することができる。
【００１３】
上記第１シャッタ部が第２遮蔽壁を含む構成において、操作部は、第２遮蔽壁の屋内側または屋外側を通って下方に延設されるのが好ましい。このように構成すれば、操作部と第２遮蔽壁とが干渉しないように操作部を下方へ延設可能な構造を構成することができる。
【００１４】
上記シャッタ装置において、第１シャッタ部は、通気部が設けられるとともに可動部の屋内側または屋外側に隣接する通気部形成部と、通気部形成部から可動部の縁部の外側を通って通気部形成部と反対側に回り込むように延設されるとともに通気部形成部との間で可動部を通気部の開閉時の移動方向に移動可能に挟持する保持部とを有するのが好ましい。このように構成すれば、第２シャッタ部の可動部を通気部の開閉時の移動方向に移動可能に保持する構造に第１シャッタ部を構成することができる。
【００１５】
この場合において、保持部は、可動部の通気部形成部と反対側の位置において可動部の縁部の外側から可動部の内部側へ突設され、可動部の通気部形成部と反対側の面に当接して可動部が通気部形成部から離反するのを抑制するものであり、可動部は、その縁部近傍に形成されるとともに可動部が通気部形成部に対して接近または離反する際に保持部が通過可能な形状の凹部を有し、可動部が通気部の開閉時の移動範囲外の位置にあるときに凹部の位置と保持部の位置とが合致するのが好ましい。このように構成すれば、可動部を通気部の開閉時の移動範囲外の位置まで移動させて凹部の位置と保持部の位置とを合致させることにより、保持部が凹部を通過するように可動部を通気部形成部に対して接近または離反させながら通気部形成部と保持部との間の空間に可動部を着脱することができる。これにより、可動部または保持部を無理に変形させて可動部と保持部との干渉を避けながら保持部と通気部形成部との間の空間に可動部を着脱する場合と異なり、可動部または保持部を変形させることなく通気部形成部と保持部との間の空間に可動部を着脱することができるので、可動部を第１シャッタ部に着脱する作業を容易に行うことができるとともに、可動部または保持部を変形させることに伴う可動部または保持部の破損を抑制することができる。また、可動部が通気部の開閉時の移動範囲外の位置にあるときに凹部の位置と保持部の位置とが合致するので、通気部を開閉する通常の動作時には凹部を保持部が通過して可動部が第１シャッタ部から外れるのを抑制することができる。
【００１６】
さらにこの場合において、カバー部の第１開口部は、操作部の移動範囲を規制することにより可動部の移動範囲を規制しており、第１開口部により規制された可動部の移動範囲外の位置に可動部があるときに凹部の位置と保持部の位置とが合致するのが好ましい。このように構成すれば、カバー部を第１シャッタ部及び第２シャッタ部に被せて使用する通気装置の通常の使用時には、第１開口部により操作部及び可動部の移動範囲を規制して、保持部が凹部を通過する位置に可動部が移動しないようにすることができる。これにより、可動部の遮蔽部により通気部を開閉する通常の動作時には、可動部が第１シャッタ部から外れるのを抑制可能な構造を構成することができる。
【００１８】
上記シャッタ装置において、遮蔽部が通気部を実質的に遮蔽しない開位置において可動部を固定する第１位置決め部と、遮蔽部が通気部を実質的に完全に遮蔽する閉位置において可動部を固定する第２位置決め部とをさらに備えているのが好ましい。このように構成すれば、第１位置決め部と第２位置決め部とによって、第２シャッタ部の可動部を開位置と閉位置とでそれぞれ確実に固定することができる。これにより、可動部の意図しない移動によって、開いた通気部が遮蔽部により閉じられたり、遮蔽部により閉じられた通気部が開いたりするという不都合が生じるのを抑制することができる。
【００１９】
この場合において、可動部を開位置と閉位置との間の所定の位置で固定する第３位置決め部をさらに備えているのが好ましい。このように構成すれば、可動部を開位置と閉位置との間の所定の位置で固定して、通気部が遮蔽部により所定量だけ遮蔽された状態にすることができるので、通気部の通気量をこの遮蔽状態に対応した所定の通気量に容易に設定することができる。これにより、通気部を通じて屋内外間で通気する際の通気量を所定の通気量に容易に設定することができる。
【００２０】
さらにこの場合において、第３位置決め部は、可動部を開位置と閉位置との間の複数の異なる位置で固定可能に構成されているのが好ましい。このように構成すれば、可動部を開位置と閉位置との間の複数の異なる位置で固定して通気部が遮蔽部によりそれぞれ異なる量だけ遮蔽された複数の状態にすることができるので、通気部を通じて屋内外間で通気する際の通気量を段階的に調節することができる。
【００２１】
また、この発明の通気装置は、上記シャッタ装置を備えたものであって、建物の屋内外間の通気を調節する。この通気装置では、通気装置（シャッタ装置）が高い位置に設置されている場合でもシャッタ装置の操作性を良好に保ちながら、屋外から屋内への冷気の流入を低減することができる。
【発明の効果】
【００２２】
以上説明したように、本発明によるシャッタ装置及び通気装置では、シャッタ装置が高い位置に設置されている場合でもそのシャッタ装置の操作性を良好に保ちながら、屋外から屋内への冷気の流入を低減することができる。
【発明を実施するための最良の形態】
【００２３】
以下、本発明の実施形態を図面を参照して説明する。
【００２４】
（第１実施形態）
図１は、本発明の第１実施形態による通気装置の構成を示した分解斜視図である。図２は、図１に示した第１実施形態による通気装置を通気口５１０に設置した状態を示した断面図である。図３及び図４は、それぞれ図１に示した通気装置を構成する手動シャッタ装置２の固定シャッタ部４０及び可動シャッタ部５０の斜視図であり、図５は、図１に示した通気装置を構成するカバー部４の斜視図である。図６〜図９は、図１に示した通気装置を構成する手動シャッタ装置２の構造を説明するための図である。まず、図１〜図９を参照して、本発明の第１実施形態による通気装置の構造について説明する。
【００２５】
第１実施形態による通気装置は、図１に示すように、自動シャッタ装置１と、手動シャッタ装置２と、フィルタ３と、カバー部４とによって構成されている。このうち、手動シャッタ装置２が本発明の対象となるシャッタ装置である。通気装置は、図２に示すように、建物の屋内外間の外壁５００を貫通する通気口５１０に設置されるものであり、屋内外間の通気を制御する機能を有する。
【００２６】
上記自動シャッタ装置１は、通気口５１０内に位置する後述する枠体３０の円筒部３１内に収容されている。この自動シャッタ装置１は、気温に応じて自動的に通気を制御する機能を有している。具体的には、自動シャッタ装置１は、水平方向の軸回りに回動可能な２つの羽体１ａ及び１ｂを有しており、羽体１ｂは羽体１ａの屋外側に隣接して配置されている。この羽体１ａ及び１ｂは、通気を遮断する３枚の羽部１１ａ及び１１ｂをそれぞれ有しており、各３枚の羽部１１ａ及び１１ｂは上記軸の周囲に等間隔で配置されている。そして、外気温が高いときには、羽体１ａの羽部１１ａと羽体１ｂの羽部１１ｂとが互いに重なるように屋外側の羽体１ｂが回動し、羽体１ａの羽部１ａ間の空間及び羽体１ｂの羽部１ｂ間の空間を通じて屋内外間の通気が取られる。その一方、外気温が低いときには、羽体１ａの羽部１１ａと羽体１ｂの羽部１１ｂとが互い違いになるように屋外側の羽体１ｂが回動し、屋内外間の通気が遮断されるようになっている。
【００２７】
上記手動シャッタ装置２は、屋内外間の通気を取る状態と通気を遮断する状態とに手動で任意に切り替えるために設けられている。この手動シャッタ装置２は、図１に示すように、枠体３０と、固定シャッタ部４０（第１シャッタ部）と、可動シャッタ部５０（第２シャッタ部）とによって構成されている。枠体３０は、円筒形状を有する円筒部３１と、その円筒部３１の屋内側に設けられた略正方形の枠部３２とによって構成されており、その円筒部３１が通気口５１０内に位置するように通気口５１０に固定される。また、枠部３２の屋内側の面には、３つの取付部３３が円筒部３１の周囲に所定間隔で設けられている。この取付部３３は、固定シャッタ部４０を取り付けるためのものである。
【００２８】
また、枠部３２の屋内側の面の円筒部３１の下方の位置には、第１位置決め部３４ａ、第２位置決め部３４ｂ及び第３位置決め部３４ｃが設けられている。これらは、可動シャッタ部５０をそれぞれ所定の回動位置に固定するためのものであり、円筒部３１の軸心を中心とする円弧状に配列された一連の凸部３４ｄによって構成されている。第１位置決め部３４ａは、図６〜図８に示すように、屋内側から見て最も右側の凸部３４ｄとその左側に隣接する凸部３４ｄとによって構成されており、第２位置決め部３４ｂは、屋内側から見て最も左側の凸部３４ｄとその右側に隣接する凸部３４ｄとによって構成されている。また、第３位置決め部３４ｃは、第１位置決め部３４ａと第２位置決め部３４ｂとの間に位置する複数の凸部３４ｄによって構成されている。そして、可動シャッタ部５０の後述する操作部５２の突起部５２ｂ（図９参照）が上記第１〜第３位置決め部３４ａ〜３４ｃを構成する隣接する凸部３４ｄ間で係止されることによって可動シャッタ部５０の回動位置が固定されるようになっている。
【００２９】
固定シャッタ部４０は、図３に示すように、外枠部４１と、取付部４２と、通気部形成部４３と、軸部４４と、ガイド部４５と、保持部４６と、遮蔽壁４７（第２遮蔽壁）とを有している。外枠部４１は、屋内側から見て略正方形に形成されている。この外枠部４１は、上側に位置する上側壁部４１ａと、屋内側から見て左側に位置する左側壁部４１ｂと、屋内側から見て右側に位置する右側壁部４１ｃと、下側に位置する下側壁部４１ｄとによって構成されている。そして、上側壁部４１ａ、左側壁部４１ｂ及び右側壁部４１ｃには、屋内外間の通気を取るための開口部４１ｅがそれぞれ設けられている。
【００３０】
取付部４２は、外枠部４１の上側壁部４１ａの中央部と、左側壁部４１ｂの下部と、右側壁部４１ｃの下部とにそれぞれ設けられている。この３つの取付部４２が上記枠体３０の対応する取付部３３にそれぞれネジ止めされることによって、固定シャッタ部４０が枠体３０に固定される。
【００３１】
通気部形成部４３は、固定シャッタ部４０の中央領域に設けられており、円形に形成されている。この通気部形成部４３には、屋内外間の通気を取るための扇形に開口された複数の通気部４３ａが設けられている。通気部形成部４３の中心位置には、上記軸部４４が水平方向で、かつ、通気部形成部４３に対して垂直に延びるように設けられており、複数の通気部４３ａはこの軸部４４の周囲に等間隔で設けられている。
【００３２】
ガイド部４５は、円形の通気部形成部４３の周縁に沿って設けられた略円形の枠体からなる。このガイド部４５は、可動シャッタ部５０の後述する可動部５１（図４参照）の動作をガイドするために設けられており、略円形の可動部５１の周縁がこのガイド部４５の内側面に当接しながら可動部５１がガイド部４５に沿って回動するようになっている。
【００３３】
保持部４６は、ガイド部４５の屋内側の面にガイド部４５の径方向内側へ突出するように設けられた小片状の部材であり、ガイド部４５の周方向に所定間隔で３つ設けられている。この保持部４６と上記通気部形成部４３との間で可動シャッタ部５０の後述する可動部５１が回動可能に挟持される。すなわち、保持部４６は、ガイド部４５とともに通気部形成部４３から可動部５１の周縁部の外側を通って可動部５１の通気部形成部４３と反対側に回り込むように延設されており、保持部４６とガイド部４５とが一体となって可動部５１を回動可能に保持している。
【００３４】
遮蔽壁４７（第２遮蔽壁）は、通気部形成部４３の下端の位置に設けられており、通気部形成部４３の周縁に沿った円弧状に形成されている。この遮蔽壁４７は、自動シャッタ装置１、固定シャッタ部４０の通気部４３ａ及び可動シャッタ部５０の後述する通気窓５１ｂを通じて屋外から流入する冷気の流下を抑制するために設けられている。また、遮蔽壁４７には、切欠部４７ａ（第２開口部）が設けられている。
【００３５】
上記可動シャッタ部５０は、固定シャッタ部４０の屋内側に隣接して設けられ、固定シャッタ部４０に対して相対的に回動操作される部分である。この可動シャッタ部５０は、固定シャッタ部４０に対して屋内側から着脱可能に構成されており、例えば手動シャッタ装置２のメンテナンス時には、固定シャッタ部４０から可動シャッタ部５０を取り外してメンテナンスを行えるようになっている。また、可動シャッタ部５０は、図４に示すように、可動部５１と、操作部５２と、開口部遮蔽壁５３（第１遮蔽壁）と、切欠部遮蔽壁５４（第３遮蔽壁）とを有している。可動部５１は、略円形に形成されており、その中心位置には貫通孔５１ａが設けられている。そして、上記したように、可動部５１は固定シャッタ部４０の保持部４６、ガイド部４５及び通気部形成部４３により保持されるとともに、可動部５１の貫通孔５１ａに固定シャッタ部４０の軸部４４が挿通される。これにより、可動部５１は、固定シャッタ部４０によって軸部４４回りに回動可能に保持されている。
【００３６】
可動部５１の貫通孔５１ａの周囲には、上記通気部４３ａと同形の扇形に開口された屋内外間の通気を取るための複数の通気窓５１ｂが所定間隔で設けられている。この複数の通気窓５１ｂ間の遮蔽された領域は、固定シャッタ部４０に対して相対的に回動することにより通気部４３ａを開閉する遮蔽部５１ｃとして用いられる。すなわち、可動部５１では、中心位置に設けられた貫通孔５１ａの周囲に通気窓５１ｂと遮蔽部５１ｃとが交互に設けられている。そして、可動部５１を回動させて通気窓５１ｂと固定シャッタ部４０の通気部４３ａとが連通状態となることにより通気部４３ａ及び通気窓５１ｂを通じて屋内外間の通気を取ることが可能となる一方、遮蔽部５１ｃが固定シャッタ部４０の通気部４３ａを遮蔽することにより屋内外間の通気が遮断されるようになっている。
【００３７】
また、可動部５１の周縁部近傍には、可動部５１を通気部形成部４３に対して接近または離反させる際に固定シャッタ部４０の保持部４６が通過可能な形状を有する３つの凹部５１ｄが設けられている。この凹部５１ｄは、可動部５１の周縁部に沿って所定間隔で設けられている。そして、固定シャッタ部４０に対する可動シャッタ部５０の着脱時には、可動部５１を着脱位置に回動させて保持部４６に凹部５１ｄの位置を合わせるとともに、保持部４６が凹部５１ｄを通過するように可動部５１を通気部形成部４３に対して接近または離反させて可動部５１を保持部４６と通気部形成部４３との間の空間に着脱できるようになっている。
【００３８】
操作部５２は、可動部５１の下部から下方へ延設されている。この操作部５２は、可動部５１を回動操作する際に操作者により把持される部分である。操作部５２は、固定シャッタ部４０の遮蔽壁４７の切欠部４７ａ（図３参照）を通じて下方へ延設される。これにより、操作部５２が遮蔽壁４７と干渉することなく下方へ延設される。そして、操作部５２を左右へ揺動させることによって、可動部５１が軸部４４回りに回動操作されるようになっている。
【００３９】
なお、上記遮蔽壁４７の切欠部４７ａは、図３に示すように、遮蔽壁４７の通気部形成部４３に対する連結部近傍において遮蔽壁４７の右端から左側へ直線的に延びる移動領域４７ｂと、この移動領域４７ｂの右端から遮蔽壁４７の屋内側の端縁まで直線的に延びる着脱領域４７ｃとを有している。また、操作部５２の可動部５１に繋がる根元部分には、図９に示すように、薄肉に形成された切欠部装着部５２ａが設けられており、この切欠部装着部５２ａが上記切欠部４７ａの移動領域４７ｂ内に左右に移動可能に装着される。すなわち、操作部５２は、可動シャッタ部５０が固定シャッタ部４０に取り付けられた状態において切欠部４７ａの移動領域４７ｂを通じて下方へ延設される。そして、可動部５１を回動操作するために操作部５２を左右方向へ移動させる際には、切欠部装着部５２ａが切欠部４７ａの移動領域４７ｂ内で左右に移動する。また、可動シャッタ部５０を固定シャッタ部４０に着脱する際には、切欠部４７ａの着脱領域４７ｃを通過させて操作部５２の切欠部装着部５２ａを移動領域４７ｂに着脱する。これにより、操作部５２の切欠部装着部５２ａを遮蔽壁４７と干渉することなく切欠部４７ａの移動領域４７ｂに着脱することが可能となっている。
【００４０】
また、操作部５２の屋外側には、図９に示すように、突起部５２ｂが突設されている。操作部５２を左右に移動させる際、この突起部５２ｂが上記したように枠体３０の第１〜第３位置決め部３４ａ〜３４ｃで係止されることによって、これらの各位置決め部に対応する位置に操作部５２及び可動部５１が固定される。具体的には、突起部５２ｂが第１位置決め部３４ａに係止されたときには、可動部５１の遮蔽部５１ｃにより固定シャッタ部４０の通気部４３ａが遮蔽されない開位置、言い換えれば、可動部５１の通気窓５１ｂと固定シャッタ部４０の通気部４３ａとが完全に重なる位置に可動部５１が固定される。また、突起部５２ｂが第２位置決め部３４ｂに係止されたときには、可動部５１の遮蔽部５１ｃにより固定シャッタ部４０の通気部４３ａが完全に遮蔽される閉位置に可動部５１が固定される。
【００４１】
また、突起部５２ｂが第３位置決め部３４ｃに係止されたときには、可動部５１が上記開位置と上記閉位置との間の所定の位置で固定される。そして、第３位置決め部３４ｃは、上記したように第１位置決め部３４ａと第２位置決め部３４ｂとの間に位置する複数の凸部３４ｄによって構成されており、第１位置決め部３４ａと第２位置決め部３４ｂとの間の複数の異なる位置で突起部５２ｂを係止可能である。このため、第３位置決め部３４ｃによって突起部５２ｂを係止することにより、可動部５１を上記開位置と上記閉位置との間の複数の異なる位置で固定することが可能であり、この際、可動部５１の固定位置に応じて遮蔽部５１ｃにより通気部４３ａがそれぞれ異なる量だけ遮蔽される。
【００４２】
開口部遮蔽壁５３は、カバー部４の下部に設けられた後述する操作部用開口部４ｇ（第１開口部）の上側に隣接して設けられ、この操作部用開口部４ｇを遮蔽する。開口部遮蔽壁５３は、屋外から流入した冷気が操作部用開口部４ｇを通じて下方へ流下するのを抑制する機能を有する。また、開口部遮蔽壁５３は、操作部５２の長手方向中間部に操作部５２と一体的に形成されており、操作部５２とともに左右方向に移動しながらカバー部４の操作部用開口部４ｇを遮蔽する。また、開口部遮蔽壁５３は、貫通孔５１ａを中心とした円弧状に形成されているとともに、操作部５２の移動方向に沿って操作部５２の左右両側に延びている。
【００４３】
切欠部遮蔽壁５４は、可動部５１の下端の位置に設けられ、可動部５１の周縁に沿った円弧状に形成されている。この切欠部遮蔽壁５４は、固定シャッタ部４０の遮蔽壁４７の上面に接触し、操作部５２及び可動部５１とともに移動するように構成されている。そして、固定シャッタ部４０の通気部４３ａが全開状態であるとき、すなわち、可動シャッタ部５０が上記開位置にあるとき、切欠部遮蔽壁５４が図６に示すように切欠部４７ａの着脱領域４７ｃに対応する位置に配置されるとともにこの着脱領域４７ｃを遮蔽するように構成されている。これにより、固定シャッタ部４０の通気部４３ａが全開状態であるときには、この通気部４３ａから切欠部４７ａの着脱領域４７ｃを通じて冷気が下方へ流下するのが切欠部遮蔽壁５４によって抑制される。
【００４４】
上記フィルタ３は、図１に示すように、手動シャッタ装置２の屋内側に設置されており、空気中に含まれる埃などを除去するために設けられている。また、上記カバー部４は、通気装置の最も屋内側に設けられている。このカバー部４は、固定シャッタ部４０、可動シャッタ部５０及びフィルタ３の屋内側を覆うように設けられている。そして、カバー部４は、屋内側から見て略正方形に形成されており、上記枠体３０の枠部３２に対して着脱可能に外嵌している。
【００４５】
また、カバー部４は、最も屋内側に位置する略正方形の平板状の屋内側端部壁４ａと、この屋内側端部壁４ａの４つの端辺からそれぞれ屋外側へ延びる上部壁４ｂ、下部壁４ｃ、両側部壁４ｄ及び４ｅとによって構成されている。上部壁４ｂ、下部壁４ｃ、側部壁４ｄ及び４ｅは、カバー部４の上端、下端、屋内側から見て左端及び右端にそれぞれ位置する。上部壁４ｂと両側部壁４ｄ及び４ｅには、図５に示すように、通気用開口部４ｆがそれぞれ形成されており、この通気用開口部４ｆを通じて屋内外間の通気が行われる。
【００４６】
また、下部壁４ｃには、操作部用開口部４ｇ（第１開口部）が設けられており、この操作部用開口部４ｇを通じて上記操作部５２が下方へ突出するように構成されている。操作部用開口部４ｇは、可動部５１を開位置から閉位置まで移動させる際の操作部５２の左右方向への移動範囲にわたって形成されている。そして、この操作部用開口部４ｇは、操作部５２の移動範囲を規制している。具体的には、操作部用開口部４ｇは、可動部５１を上記開位置に移動させると操作部５２が操作部用開口部４ｇの右端に当接する一方、可動部５１を上記閉位置に移動させると操作部５２が操作部用開口部４ｇの左端に当接するように構成されている。すなわち、操作部用開口部４ｇは、カバー部４を手動シャッタ装置２に被せて使用する通常の使用時において、可動部５１が開位置と閉位置との間の範囲外に回動しないように、可動部５１の回動範囲を規制している。
【００４７】
次に、図５〜図９を参照して、第１実施形態による通気装置を構成する手動シャッタ装置２の動作について説明する。
【００４８】
第１実施形態による手動シャッタ装置２では、上記したように可動シャッタ部５０の操作部５２を左右に移動操作するのに伴って可動部５１が軸部４４回りに回動する。そして、操作部５２がカバー部４の操作部用開口部４ｇ（図５参照）の右端に当接するとともに操作部５２の突起部５２ｂ（図９参照）が第１位置決め部３４ａに係止される開位置（図６参照）まで操作部５２を右側に移動させると、固定シャッタ部４０の通気部４３ａと可動シャッタ部５０の通気窓５１ｂとが完全に重なり、これら通気部４３ａ及び通気窓５１ｂを通じて屋内外間の通気が取られる。一方、操作部５２がカバー部４の操作部用開口部４ｇ（図５参照）の左端に当接するとともに操作部５２の突起部５２ｂ（図９参照）が第２位置決め部３４ｂに係止される閉位置（図７参照）まで操作部５２を左側に移動させると、固定シャッタ部４０の通気部４３ａが可動シャッタ部５０の遮蔽部５１ｃにより完全に遮蔽され、屋内外間の通気が遮断される。そして、このように開位置と閉位置との間で可動シャッタ部５０の可動部５１及び操作部５２を移動させる際、開口部遮蔽壁５３が操作部５２とともに移動しながらカバー部４の操作部用開口部４ｇの全領域を常に遮蔽する。
【００４９】
また、手動シャッタ装置２のメンテナンス時には、固定シャッタ部４０から可動シャッタ部５０を取り外してメンテナンスを行う。この際、カバー部４を手動シャッタ装置２から取り外し、可動シャッタ部５０を上記通気部４３ａの開閉動作時の移動範囲外に位置する着脱位置（図８参照）まで回動させる。この着脱位置では、可動部５１の凹部５１ｄの位置と固定シャッタ部４０の保持部４６の位置とが合致するとともに、操作部５２の切欠部装着部５２ａの位置と遮蔽壁４７の切欠部４７ａの着脱領域４７ｃの位置とが合致する。そして、この状態で可動シャッタ部５０を固定シャッタ部４０から屋内側に引き抜くことにより、可動シャッタ部５０を固定シャッタ部４０から取り外す。また、メンテナンス終了後には、これと逆のプロセスにより可動シャッタ部５０を固定シャッタ部４０に取り付けるとともにカバー部４を手動シャッタ装置２に装着する。
【００５０】
以上のように、第１実施形態では、可動シャッタ部５０の操作部５２がカバー部４の操作部用開口部４ｇを通じて下方へ延設されているので、通気装置が高い位置に設置されている場合でも下方から操作部５２を把持して操作しやすい。これにより、通気装置が高い位置に設置されている場合でもシャッタ装置の操作性を良好に保つことができる。
【００５１】
また、第１実施形態では、可動シャッタ部５０が操作部５２とともに移動しながら操作部用開口部４ｇを遮蔽する開口部遮蔽壁５３を有しているので、この開口部遮蔽壁５３により冷気がカバー部４の下部に設けられた操作部用開口部４ｇを通じて下方へ流下するのを抑制することができる。このため、屋外から屋内への冷気の流入を低減することができる。
【００５２】
また、第１実施形態では、固定シャッタ部４０が遮蔽壁４７を有しているので、この遮蔽壁４７により固定シャッタ部４０の通気部４３ａ及び可動シャッタ部５０の通気窓５１ｂを通じて流入する冷気の下方への流下をより抑制することができる。
【００５３】
また、第１実施形態では、固定シャッタ部４０の遮蔽壁４７が操作部５２の移動方向に沿う形状の切欠部４７ａを有し、操作部５２が可動部５１から遮蔽壁４７の切欠部４７ａを通じて下方に延設されているので、操作部５２と遮蔽壁４７とが干渉しないように操作部５２を下方へ延設することができる。
【００５４】
また、第１実施形態では、可動シャッタ部５０は、操作部５２とともに移動しながら切欠部４７ａを遮蔽する切欠部遮蔽壁５４を有しているので、遮蔽壁４７に切欠部４７ａを設けることにより遮蔽壁４７の冷気の遮断効果が低下する場合に、切欠部遮蔽壁５４により切欠部４７ａを経由する冷気の下方への流下を低減することができる。
【００５５】
また、第１実施形態では、可動シャッタ部５０の可動部５１が、可動部５１を通気部形成部４３に対して接近または離反させる際に固定シャッタ部４０の保持部４６が通過可能な形状の凹部５１ｄを有しているので、可動部５１または保持部４６を無理に変形させて可動部５１と保持部４６との干渉を避けながら保持部４６と通気部形成部４３との間の空間に可動部５１を着脱する場合と異なり、可動部５１または保持部４６を変形させることなく、保持部４６が凹部５１ｄを通過するように可動部５１を通気部形成部４３に対して接近または離反させて通気部形成部４３と保持部４６との間の空間に可動部５１を着脱することができる。これにより、可動部５１を固定シャッタ部４０に着脱する作業を容易に行うことができるとともに、可動部５１または保持部４６を変形させることに伴う可動部５１または保持部４６の破損を抑制することができる。
【００５６】
また、第１実施形態では、可動部５１が通気部４３ａの開閉時の移動範囲外の位置にあるときに凹部５１ｄの位置と保持部４６の位置とが合致するので、通気部４３ａを開閉する通常の動作時には凹部５１ｄを保持部４６が通過して可動部５１が固定シャッタ部４０から外れるのを抑制することができる。
【００５７】
また、第１実施形態では、枠体３０に遮蔽部５１ｃが通気部４３ａを遮蔽しない開位置において可動部５１を固定する第１位置決め部３４ａと、遮蔽部５１ｃが通気部４３ａを完全に遮蔽する閉位置において可動部５１を固定する第２位置決め部３４ｂとが設けられているので、可動シャッタ部５０の可動部５１を開位置と閉位置とでそれぞれ確実に固定することができる。これにより、可動部５１の意図しない移動によって、開いていた通気部４３ａが遮蔽部５１ｃにより閉じられたり、遮蔽部５１ｃにより閉じられた通気部４３ａが開いたりするという不都合が生じるのを抑制することができる。
【００５８】
また、第１実施形態では、枠体３０に可動シャッタ部５０の可動部５１を開位置と閉位置との間の所定の位置で固定する第３位置決め部３４ｃが設けられているので、この第３位置決め部３４ｃにより可動部５１を開位置と閉位置との間の所定の位置で固定して、固定シャッタ部４０の通気部４３ａが可動シャッタ部５０の遮蔽部５１ｃにより所定量だけ遮蔽された状態にすることができる。これにより、固定シャッタ部４０の通気部４３ａの通気量をその遮蔽状態に対応した所定の通気量に容易に設定することができるので、通気部４３ａを通じて屋内外間で通気する際の通気量を所定の通気量に容易に設定することができる。
【００５９】
また、第１実施形態では、第３位置決め部３４ｃは、可動シャッタ部５０の可動部５１を開位置と閉位置との間の複数の異なる位置で固定可能に構成されているので、可動部５１を開位置と閉位置との間の複数の異なる位置で固定して固定シャッタ部４０の通気部４３ａが可動シャッタ部５０の遮蔽部５１ｃによりそれぞれ異なる量だけ遮蔽された複数の状態にすることができる。これにより、固定シャッタ部４０の通気部４３ａを通じて屋内外間で通気する際の通気量を段階的に調節することができる。
【００６０】
（第２実施形態）
図１０及び図１１は、それぞれ本発明の第２実施形態による通気装置を構成する手動シャッタ装置２の固定シャッタ部４０及び可動シャッタ部５０の斜視図である。図１２〜図１５は、本発明の第２実施形態による通気装置を構成する手動シャッタ装置２の構造を説明するための図である。次に、図１０〜図１５を参照して、本発明の第２実施形態による通気装置の構成及び動作について説明する。
【００６１】
この第２実施形態では、上記第１実施形態と異なり、手動シャッタ装置２の可動シャッタ部５０の操作部５２が固定シャッタ部４０の遮蔽壁４７の屋内側を通って下方へ延設される。具体的には、図１１に示すように、可動シャッタ部５０の操作部５２は、可動部５１から屋内側へ延設された延設部５２ｃを有している。この延設部５２ｃの可動部５１から屋内側へ延びる長さは、固定シャッタ部４０の遮蔽壁４７（図１０参照）の通気部形成部４３から屋内側へ延びる長さとほぼ同等であり、操作部５２は図１５に示すようにこの延設部５２ｃの部分で遮蔽壁４７を屋内側に乗り越えるように構成されている。このように、第２実施形態では、操作部５２が遮蔽壁４７の屋内側を通って下方へ延設されるので、遮蔽壁４７には操作部５２を挿通するための上記第１実施形態のような切欠部４７ａ（図３参照）は設けられていないとともに、可動シャッタ部５０にはその切欠部４７ａを遮蔽するための切欠部遮蔽壁５４（図４参照）が設けられていない。
【００６２】
また、この第２実施形態では、可動シャッタ部５０の開口部遮蔽壁５３がその屋内側の端部から上側の所定領域も覆うように形成されている。また、この第２実施形態では、上記第１実施形態による枠体３０の取付部３３（図１参照）及び固定シャッタ部４０の取付部４２の代わりに、枠体３０の枠部３２の屋内側の面には円筒部３１の形成領域を挟んで対向するように一対の係止部６０，６０（図１２参照）が設けられている。また、固定シャッタ部４０の外枠部４１の外側面には、上記第１実施形態による取付部４２（図１参照）は設けられていない代わりに、枠体３０の一対の係止部６０，６０に対応する位置に一対の被係止部７０，７０（図１２参照）が設けられている。この一対の被係止部７０，７０が枠体３０の一対の係止部６０，６０に係止されることによって、固定シャッタ部４０が枠体３０に対して着脱可能に固定されている。
【００６３】
第２実施形態による通気装置の上記以外の構成は、上記第１実施形態による通気装置の構成と同様である。
【００６４】
そして、この第２実施形態による通気装置の手動シャッタ装置２の動作は、上記第１実施形態による手動シャッタ装置２の動作と同様であり、通常の使用時には、操作部５２を左右に操作することによって図１２に示す開位置と図１３に示す閉位置との間で可動部５１を回動させて固定シャッタ部４０の通気部４３ａを可動シャッタ部５０の遮蔽部５１ｃで開閉する。そして、手動シャッタ装置２のメンテナンス時には、手動シャッタ装置２からカバー部４（図１参照）を外して、通常の移動範囲外の着脱位置（図１４参照）に可動部５１を回動させ、保持部４６が凹部５１ｄを通過するように固定シャッタ部４０に対して屋内側から可動シャッタ部５０を着脱する。
【００６５】
以上のように、第２実施形態では、操作部５２が可動部５１から遮蔽壁４７の屋内側を通って下方に延設されるので、操作部５２と遮蔽壁４７とが干渉しないように操作部５２を下方へ延設することができる。
【００６６】
第２実施形態による上記以外の効果は、上記第１実施形態による効果と同様である。
【００６７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味及び範囲内でのすべての変更が含まれる。
【００６８】
たとえば、上記各実施形態における屋内側と屋外側とを相互に入れ替えることによって本発明による手動シャッタ装置及び通気装置を構成してもよい。
【００６９】
また、上記各実施形態では、固定シャッタ部４０に対して可動シャッタ部５０の可動部５１を相対的に回動させて固定シャッタ部４０の通気部４３ａを可動シャッタ部５０の遮蔽部５１ｃで開閉する構成の手動シャッタ装置２及びそれを用いた通気装置を例にとって説明したが、参考例として、固定シャッタ部に対して可動シャッタ部を相対的に横方向にスライドさせて固定シャッタ部の通気部を可動シャッタ部の遮蔽部で開閉する構成の手動シャッタ装置及びそれを用いた通気装置にも本発明を適用することが可能である。
【００７０】
また、上記第１実施形態では、可動シャッタ部５０が開位置にあるときに切欠部遮蔽壁５４が遮蔽壁４７の切欠部４７ａの着脱領域４７ｃを遮蔽するように構成したが、本発明はこれに限らず、切欠部遮蔽壁５４をその長手方向に延長することにより、切欠部遮蔽壁５４によって着脱領域４７ｃ及び移動領域４７ｂを含む切欠部４７ａの全領域を可動シャッタ部５０の開位置と閉位置との間の移動時にも常に遮蔽できるように構成してもよい。このように構成すれば、切欠部遮蔽壁５４による切欠部４７ａの遮蔽効果をより向上させることができる。
【図面の簡単な説明】
【００７１】
【図１】本発明の第１実施形態による通気装置の構成を示した分解斜視図である。
【図２】図１に示した第１実施形態による通気装置を通気口に設置した状態を示した断面図である。
【図３】図１に示した通気装置を構成する手動シャッタ装置の固定シャッタ部の斜視図である。
【図４】図１に示した通気装置を構成する手動シャッタ装置の可動シャッタ部の斜視図である。
【図５】図１に示した通気装置を構成するカバー部の斜視図である。
【図６】図１に示した通気装置を構成する手動シャッタ装置の可動部が開位置にある状態を屋内側から見た正面図である。
【図７】図６に対応する手動シャッタ装置の可動部が閉位置にある状態を屋内側から見た正面図である。
【図８】図６に対応する手動シャッタ装置の可動部が着脱位置にある状態を屋内側から見た正面図である。
【図９】図６に示した手動シャッタ装置のＩＸ−ＩＸ線に沿った断面図である。
【図１０】本発明の第２実施形態による通気装置を構成する手動シャッタ装置の固定シャッタ部の斜視図である。
【図１１】本発明の第２実施形態による通気装置を構成する手動シャッタ装置の可動シャッタ部の斜視図である。
【図１２】本発明の第２実施形態による通気装置を構成する手動シャッタ装置の可動部が開位置にある状態を屋内側から見た正面図である。
【図１３】図１２に対応する手動シャッタ装置の可動部が閉位置にある状態を屋内側から見た正面図である。
【図１４】図１２に対応する手動シャッタ装置の可動部が着脱位置にある状態を屋内側から見た正面図である。
【図１５】図１２に示した手動シャッタ装置のＸＶ−ＸＶ線に沿った断面図である。
【符号の説明】
【００７２】
２  手動シャッタ装置（シャッタ装置）
４  カバー部
４ｇ  操作部用開口部（第１開口部）
３４ａ  第１位置決め部
３４ｂ  第２位置決め部
３４ｃ  第３位置決め部
４０  固定シャッタ部（第１シャッタ部）
４３  通気部形成部
４３ａ  通気部
４４  軸部（軸）
４６  保持部
４７  遮蔽壁（第２遮蔽壁）
４７ａ  切欠部（第２開口部）
５０  可動シャッタ部（第２シャッタ部）
５１  可動部
５１ｃ  遮蔽部
５１ｄ  凹部
５２  操作部
５３  開口部遮蔽壁（第１遮蔽壁）
５４  切欠部遮蔽壁（第３遮蔽壁）
５００  外壁
５１０  通気口
【図１】
0004769115.tif 000002
【図２】
0004769115.tif 000003
【図３】
0004769115.tif 000004
【図４】
0004769115.tif 000005
【図５】
0004769115.tif 000006
【図６】
0004769115.tif 000007
【図７】
0004769115.tif 000008
【図８】
0004769115.tif 000009
【図９】
0004769115.tif 000010
【図１０】
0004769115.tif 000011
【図１１】
0004769115.tif 000012
【図１２】
0004769115.tif 000013
【図１３】
0004769115.tif 000014
【図１４】
0004769115.tif 000015
【図１５】
0004769115.tif 000016